(57)【要約】【課題】被装着物が大きいものであっても、連続的に被装着物にシュリンクフィルムを装着することができるフィルム装着装置を得る。【解決手段】フィルム装着装置は、延伸用カム54、首振り用カム56、およびその周囲に沿って移動するカムフォロア58，64を含むフィルム供給装置を含む。フィルム供給装置は、カムフォロア58の動きは、レバー60およびジョイント62を介してスライド部材38に伝えられ、スライド部材38がガイド36に沿ってスライドする。カムフォロア64の動きは、レバー66およびジョイント68を介して吸引ヘッド42に伝えられ、吸引ヘッド42が首振り変位する。吸引ヘッド42が旋回して、被装着物に近付くと、吸引ヘッド42に保持されたフィルムの長手方向が被装着物の高さ方向となるように、吸引ヘッド42が首振り変位する。この状態を保ったまま、スライド部材38がスライドし、フィルムを被装着物側に向かって押し出し、フィルムを被装着物に装着する。【選択図】図６
2005138879.tif 000002
【特許請求の範囲】
【請求項１】
筒状のフィルムを保持する保持手段、
複数の前記保持手段を旋回させるための回転装置、
前記保持手段の旋回面に平行となるように前記保持手段に向かって被装着物を移送するための移送手段、および
前記移送手段で移送される前記被装着物に前記保持手段が近付いたときに、前記フィルムが前記被装着物に装着される向きとなるように前記保持手段を変位させるとともに、前記保持手段は前記フィルムを前記装着される向きにほぼ保ちながら前記フィルムを前記被装着物に向かって押し出して前記被装着物に前記フィルムを装着する装着手段を含む、フィルム装着装置。
【請求項２】
前記装着手段は、前記保持手段を変位させるための変位手段と、前記フィルムを前記被装着物に向かって押し出すための押し出し手段とを含み、前記変位手段および前記押し出し手段は、それぞれ、カムと、前記回転装置の回転に応じて前記カムに沿って移動するカムフォロアを有するレバーとの組み合わせを含む、請求項１に記載のフィルム装着装置。
【請求項３】
前記保持手段は前記フィルムをその開口部を広げた状態で吸引保持する吸引ヘッドを含む、請求項１または請求項２に記載のフィルム装着装置。
【請求項４】
さらに、前記被装着物の進行方向に向かうにしたがって低くなるように配置され、前記被装着物を挟んで移動させるとともに、前記被装着物に装着された前記フィルムを前記被装着物の適正位置まで引き下げるために用いられるフィルム引き下げ手段を含む、請求項１ないし請求項３のいずれかに記載のフィルム装着装置。
【発明の詳細な説明】
【技術分野】
【０００１】
この発明は、フィルム装着装置に関し、特にたとえば、容器などの被装着物に筒状のシュリンクフィルムなどのフィルムを装着するために用いられるフィルム装着装置に関する。
【背景技術】
【０００２】
図１９は、従来のフィルム装着装置の一例を示す図解図である。フィルム装着装置１は、固定軸２を中心として旋回する複数のフィルム供給機構３を含む。フィルム供給機構３は、複数の棒状のガイド部材４を含む。そして、フィルム装着装置１の上方から筒状のシュリンクフィルム７が供給され、ガイド部材４の周囲に、シュリンクフィルム７が被せられる。この状態で、複数のガイド部材４が互いに離れるように拡がることにより、シュリンクフィルム７がガイド部材４の外側に保持される。
【０００３】
シュリンクフィルムが保持されたフィルム供給機構３は、固定軸２を中心として旋回し、ガイド部材４の先端部が下方になる位置で停止する。ガイド部材４の下方には、ベルトコンベアなどによって、容器などの被装着物５が移送される。被装着物５は、ガイド部材４の下方で停止し、その周囲にシュリンクフィルム７が装着される。被装着物５の周囲にシュリンクフィルム７を装着するために、複数のガイド部材４が互いに近付くように狭められ、ガイドアーム６によって、シュリンクフィルム７が下方に押し下げられる。被装着物に装着されたシュリンクフィルム７は、加熱することにより収縮し、被装着物の周囲に密着させられる（例えば、特許文献１参照）。
【０００４】
【特許文献１】特開２００３−２５２３１０号公報
【発明の開示】
【発明が解決しようとする課題】
【０００５】
しかしながら、図１９に示すようなフィルム装着装置では、ガイド部材４を狭めてガイドアーム６でシュリンクフィルム７を押し下げるという動作をするため、ベルトコンベアなどで移送されてきた被装着物５を停止させなければならず、シュリンクフィルム７の装着に時間がかかる。そこで、図２０に示すように、被装着物５が移送されている状態でシュリンクフィルム７を被せることができるフィルム装着装置が考えられた。
【０００６】
このフィルム装着装置８では、固定軸２を中心として旋回する複数のフィルム保持部９を含む。フィルム保持部９には、筒状のシュリンクフィルム７が吸引保持される。シュリンクフィルム７を保持したフィルム保持部９は、ベルトコンベアなどで移送される被装着物５に同期して、固定軸２を中心として旋回する。そして、被装着物５が移動する速度に合わせてシュリンクフィルム７が移動し、フィルム保持部９が最下端部にきたところで、シュリンクフィルム７がフィルム保持部９から離されて、被装着物５にシュリンクフィルム７が装着される。なお、この場合、シュリンクフィルム７は、被装着物５の上部に被さるだけであるため、後段において、たとえばシュリンクフィルム７の上端縁部を押すことにより、被装着物５の周囲を覆うようにシュリンクフィルム７が押し下げられる。
【０００７】
このようなフィルム装着装置８では、シュリンクフィルム７を被装着物５の上部に被せるのと、被装着物５に被せられたシュリンクフィルム７を押し下げるのとが、別の工程で行われるため、被装着物５を停止させることなく、移送されている状態でシュリンクフィルム７を被せることができる。
【０００８】
このフィルム装着装置８を用いた場合、フィルム保持部９は円弧を描くように旋回し、被装着物は直線状に移動するため、シュリンクフィルム７は被装着物５に対して斜めの状態で接触し始める。そして、フィルム保持部９が最下端部にきたときに、シュリンクフィルム７と被装着物５とが直線状に配置され、この部分でフィルム保持部９によるシュリンクフィルム７の保持が解除されて、シュリンクフィルム７が被装着物５に装着される。したがって、図１９に示すようなフィルム装着装置１のように、シュリンクフィルム７を被装着物５の中間部まで押し下げることができない。被装着物５が小さい場合、後段において、シュリンクフィルム７の上端縁部を押さえることにより、適性位置までシュリンクフィルム７を押し下げることができる。しかしながら、被装着物５が大きい場合、それにともなってシュリンクフィルム７も大きくなり、被装着物上に露出したシュリンクフィルム部分が多くなる。このような場合、後段においてシュリンクフィルム７の上端縁部を押さえたときに、シュリンクフィルム７がつぶれて、うまく押し下げられない場合がある。
【０００９】
それゆえに、この発明の主たる目的は、被装着物が大きいものであっても、連続的に被装着物にシュリンクフィルムを装着することができるフィルム装着装置を提供することである。
【課題を解決するための手段】
【００１０】
この発明は、筒状のフィルムを保持する保持手段と、複数の保持手段を旋回させる回転装置と、保持手段の旋回面に平行となるように保持手段に向かって被装着物を移送するための移送手段と、移送手段で移送される被装着物に保持手段が近付いたときに、フィルムが被装着物に装着される向きとなるように保持手段を変位させるとともに、保持手段はフィルムを装着される向きにほぼ保ちながらフィルムを被装着物に向かって押し出して被装着物にフィルムを装着する装着手段を含む、フィルム装着装置である。
筒状のフィルムが保持手段の旋回面に平行に移送されてくる被装着物に近付いたとき、装着手段によって、フィルムが被装着物に装着される向きとなるように保持手段が変位する。そして、このような向きにフィルムを保ちながら、フィルムが被装着物に向かって押し出されるため、被装着物が移送されている状態でも、フィルムを被装着物に向かって押し出すことができる。
このようなフィルム装着装置において、装着手段は、保持手段を変位させるための変位手段と、フィルムを被装着物に向かって押し出すための押し出し手段とを含み、変位手段および押し出し手段は、それぞれ、カムと、回転装置の回転に応じてカムに沿って移動するカムフォロアを有するレバーとの組み合わせを含む機構によって構成することができる。
また、保持手段としては、たとえばフィルムをその開口部を広げた状態で吸引して保持するような構成とすることができる。
さらに、被装着物にフィルムを装着した後に、被装着物を挟み込んで引き下げるフィルム引き下げ手段を用いることができる。ここで、たとえば、被装着物の進行方向に向かうにしたがって低くなるようなベルトなどでフィルム引き下げ手段を構成しておくことにより、被装着物の移動にともなって、フィルムを被装着物の適正位置に移動させることができる。
【発明の効果】
【００１１】
この発明によれば、被装着物が移送されている状態であっても、フィルムを被装着物に向かって押し出すことができるため、被装着物のかなりの部分を覆うようにフィルムを装着することができる。そのため、後段において、フィルムの位置の修正が容易となり、被装着物の大きさにかかわらず、適性位置にフィルムを装着することができる。しかも、フィルムが被装着物に装着される向きを保ちながら押し出されるため、被装着物にフィルムが引っ掛かったりせず、フィルムのスムーズな装着が可能である。このようなフィルム装着装置を用いることにより、被装着物を停止させることなく、移送されている状態で、フィルムを装着することができる。
【００１２】
この発明の上述の目的，その他の目的，特徴および利点は、図面を参照して行う以下の発明を実施するための最良の形態の説明から一層明らかとなろう。
【発明を実施するための最良の形態】
【００１３】
図１は、この発明のフィルム装着装置の一例を示す図解図である。フィルム装着装置１０は、フィルムが装着される被装着物を移送するための移送手段として、ベルトコンベア１２を含む。ベルトコンベア１２上には、間歇装置１４が配置される。間歇装置１４は、図２に示すように、対向する円形の回転体１６，１８で構成される。回転体１６，１８は、それぞれ複数枚積層される。回転体１６，１８の積層枚数は、ベルトコンベア１２で移送される容器などの被装着物２０の大きさに応じて調整することができる。
【００１４】
回転体１６，１８の周囲には、等間隔で突起１６ａ，１８ａが形成される。そして、回転体１６，１８の近接部分において突起部１６ａ，１８ａが対向するように、回転体１６，１８が逆向きに回転する。回転体１６，１８は、逆向きに回転することにより、突起部１６ａ，１８ａで囲まれた空間に被装着物２０が嵌り込み、順次被装着物２０が送り出される。したがって、被装着物２０が密集して移送されてきても、回転体１６，１８を間歇的に回転させることにより、被装着物２０が等間隔で送り出される。
【００１５】
間歇装置１４から送り出された被装着物２０は、フィルム供給装置３０によってフィルムが装着される。フィルム供給装置３０は、図３および図４に示すように、回転装置としてのターレット３２を含む。ターレット３２は、軸３４を中心として回転可能に形成される。ターレット３２には、放射状に延びる複数のガイド３６が形成される。ガイド３６には、スライド可能にスライド部材３８が取り付けられる。スライド部材３８とターレット３２との間には、バネ４０が取り付けられ、スライド部材３８がターレット３２側に引き付けられるようにされている。なお、図３においては、１つのガイド３６にのみスライド部材３８が取り付けられているが、実際には、全てのガイド３６にスライド部材３８が取り付けられている。また、表記上の都合により、バネ４０はスライド部材３８に接続されていないように記載されているが、実際には、バネ４０はスライド部材３８に接続されている。
【００１６】
スライド部材３８には、図４、図５に示すように、保持手段としての吸引ヘッド４２が回転可能に取り付けられる。吸引ヘッド４２は、フィルムを吸引保持する保持面４２ａを有し、保持面４２ａに吸引孔４２ｂが形成される。この吸引孔４２ｂからフィルムが吸引されることにより、保持面４２ａにフィルムが保持される。吸引ヘッド４２は、中空状の軸４４を介してスライド部材３８に取り付けられる。軸４４は、吸引ヘッド４２からスライド部材３８側に延びてスライド部材３８に回転可能に取り付けられ、その延びた先端にホース取付部４６が形成される。ホース取付部４６には、吸引ホース４８が取り付けられる。そして、吸引ホース４８および軸４４を介して、吸引ヘッド４２の吸引孔４２ｂから空気を吸引することにより、保持面４２ａにフィルムを吸引保持することができる。
【００１７】
軸４４には、吸引ヘッド４２に並列に接続部材５０が形成され、接続部材５０とスライド部材３６との間にバネ５２が接続される。なお、吸引ヘッド４２は、その保持面４２ａがスライド部材３８の長手方向に一致する位置から吸引ヘッド４２の旋回方向と同じ向きに回転できるが、その逆方向には回転できないようにして、バネ５２によって、その保持面４２ａがスライド部材３８の長手方向に一致するように引っ張られる。スライド部材３８は、軸３４を中心として放射状に形成されるガイド３６に沿ってスライドするため、吸引ヘッド４２の保持面４２ａとスライド部材３８の長手方向とが一致する状態を基準とすることにより、軸３４に取り付けられる後述の首振り用カムの設計を容易にすることができる。
【００１８】
さらに、軸３４の周りには、図３に示すように、延伸用カム５４および首振り用カム５６が取り付けられる。延伸用カム５４はターレット３２の一方側に、首振り用カム５６はターレット３２のもう一方側に取り付けられる。延伸用カム５４および首振り用カム５６は、ターレット３２の回転にともなって回転しないように、たとえば軸３４を支持する支持部などに取り付けられる。延伸用カム５４および首振り用カム５６は、図６に示すように、円板状の一部が外側に向かって突出した形状を有する。なお、図６においては、延伸用カム５４と首振り用カム５６とを区別するために、延伸用カム５４を破線で示してある。延伸用カム５４の周囲には、ターレット３２の回転にともなって、延伸用カム５４の周囲に沿って移動するカムフォロア５８を有するレバー６０が配置される。レバー６０は屈曲した形状を有し、その屈曲部６０ａにおいてレバー６０が回動できるようにターレット３２に軸支される。したがって、ターレット３２が回転するにしたがって、カムフォロア５８が延伸用カム５４の形状に沿って移動し、屈曲したレバー６０の先端部が屈曲部６０ａを中心として円弧状に変位する。
【００１９】
レバー６０の先端部には、回動可能にジョイント６２の一端が軸支され、ジョイント６２の他端がスライド部材３８に軸支される。これにより、レバー６０の先端部の動きに応じて、ジョイント６２からスライド部材３８に力が加えられ、スライド部材３８がガイド３６に沿ってスライドする。これらの延伸用カム５４、カムフォロア５８、レバー６０、ジョイント６２などによって、フィルムを保持した吸引ヘッド４２を押し出すための押し出し手段が構成されている。なお、図６においては、延伸用カム５４に合わせて、レバー６０およびジョイント６２も破線で示してある。
【００２０】
また、首振り用カム５６の周囲には、ターレット３２の回転にともなって、首振り用カム５６の周囲に沿って移動するカムフォロア６４を有するレバー６６が配置される。レバー６６は屈曲した形状を有し、その屈曲部６６ａにおいてレバー６６が回動できるようにターレット３２に軸支される。したがって、ターレット３２が回転するにしたがって、カムフォロア６４が首振り用カム５６の形状に沿って移動し、屈曲したレバー６６の先端部が屈曲部６６ａを中心として円弧状に変位する。
【００２１】
レバー６６の先端部には、回動可能にジョイント６８の一端が軸支され、ジョイント６８の他端が接続部材５０に軸支される。これにより、レバー６６の先端部の動きに応じて、ジョイント６８から吸引ヘッド４２に力が加えられ、吸引ヘッド４２が軸４４を中心として首振り変異する。これらの首振り用カム５６、カムフォロア６４、レバー６６、ジョイント６８などによって、吸引ヘッド４２に保持されたフィルムの向きを被装着物２０に合わせるための変位手段が構成されている。これらの押し出し手段および変位手段によって、筒状のフィルムを被装着物２０に装着するための装着手段が構成される。
【００２２】
このフィルム供給装置３０では、ターレット３２の回転にともなって吸引ヘッド４２が旋回し、ベルトコンベア１２側に移動する。そして、カムフォロア５８が延伸用カム５４の突出部分に移動すると、図７（Ａ）（Ｂ）（Ｃ）および図８（Ｄ）（Ｅ）（Ｆ）に示すように、レバー６０およびジョイント６２が変位し、スライド部材３８がガイド３６に対してスライドする。それにより、スライド部材３８は、旋回するガイド３６の外側に向かって移動する。
【００２３】
そして、延伸用カム５４が最も突出した部分にカムフォロア５８が達したとき、スライド部材３８がガイド３６の最も先端側に配置される。なお、ガイド３６が下方に向いたときに、スライド部材３８がガイド３６の最先端部に配置されるように、延伸用カム５４が取り付けられる。さらに、この突出部分をすぎると、レバー６０およびジョイント６２は元の位置に戻り、スライド部材３８は、ガイド３６に対してターレット３２側に向かって移動する。したがって、ターレット３２が一周する間に、スライド部材３８は、ガイド３６の長手方向に１回往復運動する。
【００２４】
また、ターレット３２の回転にともなって、首振り用カム５６の周囲に沿ってカムフォロア６４が移動し、図９（Ａ）（Ｂ）（Ｃ）および図１０（Ｄ）（Ｅ）（Ｆ）に示すように、首振り用カム５６が突出した部分をカムフォロア６４が移動するときに、レバー６６およびジョイント６８が変位する。それにより、吸引ヘッド４２は、軸４４を中心として首振り変位する。吸引ヘッド４２の首振り変位により、吸引ヘッド４２の保持面４２ａは、ベルトコンベア１２上の被装着物２０の高さ方向にほぼ平行となるように変位する。そして、首振り用カム５６の突出部分の中間部から先端部までの間をカムフォロア５８が移動する過程において、吸引ヘッド４２の保持面４２ａが被装着物２０の高さ方向にほぼ平行となるように保持される。
【００２５】
このフィルム供給装置３０を用いて被装着物２０にシュリンクフィルムを装着するために、吸引ヘッド４２に筒状のシュリンクフィルム１００が保持される。筒状のシュリンクフィルム１００は、たとえば長尺状の筒状シュリンクフィルムを適当な長さに切断することにより得ることができる。このようにして得られたシュリンクフィルム１００は、吸引ヘッド４２が最上部にきたときに供給され、保持面４２ａにおいて吸引保持される。
【００２６】
シュリンクフィルム１００を吸引保持した吸引ヘッド４２は、ターレット３２の回転にともなって旋回する。また、被装着物２０は、ベルトコンベア１２によって、吸引ヘッド４２の旋回面に平行となるようにして、吸引ヘッド４２の下方に向かって移送される。そして、図１１（Ａ）〜図１７（Ｕ）に示すように、吸引ヘッド４２がベルトコンベア１２で移送されてきた被装着物２０に近付くと、カムフォロア６４が首振り用カム５６の突出した部分を移動し、筒状のシュリンクフィルム１００の長さ方向が、被装着物２０の高さ方向にほぼ一致するように、吸引ヘッド４２が首振り変位する。それにより、シュリンクフィルム１００の開口部が被装着物２０側に向いた状態を保ちながら、スライド部材３８がスライドし、シュリンクフィルム１００が被装着物２０側に押し出される。
【００２７】
このような動作により、被装着物２０が移送されている状態で、シュリンクフィルム１００は、被装着物２０の高さ方向にほぼ平行に押し出される。なお、ベルトコンベア１２とターレット３２とは同期して運転され、被装着物２０の移動に同期して、吸引ヘッド４２が被装着物２０の上方を移動する。したがって、被装着物２０が移送されている状態で、シュリンクフィルム１００の開口部が被装着物２０側に向き、被装着物２０の高さ方向に平行にシュリンクフィルム１００が押し出される。
【００２８】
吸引ヘッド４２が最下端部まで旋回したとき、吸引ヘッド４２は最大限に押し出された状態となり、被装着物２０のかなりの部分を覆うように、シュリンクフィルム１００が装着される。この位置において、吸引ヘッド４２の吸引は停止し、吸引ヘッド４２からシュリンクフィルム１００が開放される。このような動作が、所定の間隔で移送される被装着物２０のそれぞれについて行われ、全ての被装着物２０にシュリンクフィルム１００が装着される。
【００２９】
シュリンクフィルム１００が装着された被装着物２０は、ベルトコンベア１２の後段側のフィルム１００を適正位置まで引き下げる引き下げ手段としてのベルト７０に移送される。ベルト７０は、図１８に示すように、対向して配置される２つのリング状のベルト７０ａ，７０ｂを含む。ベルト７０ａ，７０ｂは、それぞれ外面が互いに対向するように配置される。そして、ベルト７０ａ，７０ｂの対向する部分が、被装着物２０の移送方向に向かって移動するように、互いに逆向きに回転させられる。これらのベルト７０ａ，７０ｂは、被装着物２０の移送方向に向かうにしたがって低くなるように形成される。
【００３０】
フィルム供給装置３０でシュリンクフィルム１００が装着された被装着物２０は、ベルト７０の２つのベルト７０ａ，７０ｂの間に挟まれて移送される。このとき、２つのベルト７０ａ，７０ｂは、被装着物２０に装着されたシュリンクフィルム１００の外面に接触するように設定される。このような設定とすることにより、シュリンクフィルム１００の外面にベルト７０ａ，７０ｂが接触し、被装着物２０がベルト７０ａ，７０ｂに挟まれて移送される。ここで、ベルト７０ａ，７０ｂは、被装着物２０の移送方向に向かうにしたがって低くなるように構成されているため、被装着物２０が移送される間に、ベルト７０ａ，７０ｂによってシュリンクフィルム１００が引き下げられる。
【００３１】
このように、ベルト７０ａ，７０ｂは、その高さを調整することにより、被装着物２０を移送することができるとともに、被装着物２０の上方に装着されたシュリンクフィルム１００を引き下げて、所定の位置に装着することができる。引き下げ手段は、被装着物２０をシュリンクフィルム１００を介して挟んで引き下げるベルト以外のものも採用することができる。シュリンクフィルム１００が所定の位置に装着された被装着物２０は、加熱装置に送られ、加熱することによりシュリンクフィルム１００が被装着物２０の外面に密着させられる。
【００３２】
このフィルム装着装置１０では、シュリンクフィルム１００を被装着体２０に装着するために、シュリンクフィルム１００が吸引ヘッド４２に吸引保持されて旋回するが、移送される被装着物２０に近付くと、スライド部材３８がガイド３６に沿って下方にスライドするとともに、吸引ヘッド４２が首振りして変位し、シュリンクフィルム１００の長手方向が被装着物２０の高さ方向にほぼ平行となる。そして、吸引ヘッド４２は、シュリンクフィルム１００の長手方向が被装着物２０の高さ方向とほぼ平行となるように、その姿勢が保たれて、スライド部材３８がガイド３６に沿ってさらに下方にスライドし、被装着物２０の周囲にシュリンクフィルム１００が装着される。このように、被装着物２０が移送されている状態で、被装着物２０側に押し出されるようにしてシュリンクフィルム１００が装着されるため、被装着物２０のかなりの部分を覆うようにシュリンクフィルム１００を装着することができる。そのため、フィルム供給装置３０の後段において、シュリンクフィルム１００を被装着物２０の所定の位置に引き下げることが容易である。
【図面の簡単な説明】
【００３３】
【図１】この発明のフィルム装着装置の一例を示す図解図である。
【図２】図１に示すフィルム装着装置に用いられる間歇装置を示す斜視図である。
【図３】図１に示すフィルム装着装置に用いられるフィルム供給装置の要部を示す図解図である。
【図４】図３に示すフィルム供給装置を横からみた図解図である。
【図５】図３および図４に示すフィルム供給装置の吸引ヘッド周辺を示す図解図である。
【図６】フィルム供給装置におけるカムとスライド部材と吸引ヘッドとの関係を示す図解図である。
【図７】（Ａ）〜（Ｃ）は、延伸用カムとスライド部材の動きとの関係を示す図解図である。
【図８】（Ｄ）〜（Ｆ）は、図７に示す延伸用カムとスライド部材の動きとの関係の続きを示す図解図である。
【図９】（Ａ）〜（Ｃ）は、首振り用カムと吸引ヘッドの動きとの関係を示す図解図である。
【図１０】（Ｄ）〜（Ｆ）は、図８に示す首振り用カムと吸引ヘッドの動きとの関係の続きを示す図解図である。
【図１１】（Ａ）〜（Ｃ）は、被装着物にシュリンクフィルムを装着するときの吸引ヘッドの動きを示す図解図である。
【図１２】（Ｄ）〜（Ｆ）は、図１１に示す吸引ヘッドの動きの続きを示す図解図である。
【図１３】（Ｇ）〜（Ｉ）は、図１２に示す吸引ヘッドの動きの続きを示す図解図である。
【図１４】（Ｊ）〜（Ｌ）は、図１３に示す吸引ヘッドの動きの続きを示す図解図である。
【図１５】（Ｍ）〜（Ｏ）は、図１４に示す吸引ヘッドの動きの続きを示す図解図である。
【図１６】（Ｐ）〜（Ｒ）は、図１５に示す吸引ヘッドの動きの続きを示す図解図である。
【図１７】（Ｓ）〜（Ｕ）は、図１６に示す吸引ヘッドの動きの続きを示す図解図である。
【図１８】図１に示すフィルム装着装置に用いられる調整用ベルトコンベアを示す図解図である。
【図１９】従来のフィルム装着装置の一例を示す図解図である。
【図２０】従来のフィルム装着装置の他の例を示す図解図である。
【符号の説明】
【００３４】
１０  フィルム装着装置
１２  ベルトコンベア
１４  間歇装置
２０  被装着物
３０  フィルム供給装置
３２  ターレット
３８  スライド部材
４２  吸引ヘッド
５４  延伸用カム
５６  首振り用カム
５８  カムフォロア
６０  レバー
６２  ジョイント
６４  カムフォロア
６６  レバー
６８  ジョイント
７０  ベルト
１００  シュリンクフィルム
【図１】
2005138879.tif 000003
【図２】
2005138879.tif 000004
【図３】
2005138879.tif 000005
【図４】
2005138879.tif 000006
【図５】
2005138879.tif 000007
【図６】
2005138879.tif 000008
【図７】
2005138879.tif 000009
【図８】
2005138879.tif 000010
【図９】
2005138879.tif 000011
【図１０】
2005138879.tif 000012
【図１１】
2005138879.tif 000013
【図１２】
2005138879.tif 000014
【図１３】
2005138879.tif 000015
【図１４】
2005138879.tif 000016
【図１５】
2005138879.tif 000017
【図１６】
2005138879.tif 000018
【図１７】
2005138879.tif 000019
【図１８】
2005138879.tif 000020
【図１９】
2005138879.tif 000021
【図２０】
2005138879.tif 000022